(57)【特許請求の範囲】
【請求項１】
パネル受けにより欄干パネルを支持して固定するマンコンベアの欄干パネル支持装置において、
パネル受けはその幅が小さく、かつ互いに対向する第１の垂直壁と第２の垂直壁とを備え、第１の垂直壁の内面に、パネル受けの幅より充分に大きな幅をもつ第１のパネル当て板が取り付けられ、第２の垂直壁に押しボルトが螺挿されているとともに、この第２の垂直壁の内側に、前記第１のパネル当て板と対向し、かつパネル受けの幅より充分に大きな幅をもつ第２のパネル当て板が介挿され、これら互いに対向する第１のパネル当て板と第２のパネル当て板との間に欄干パネルの下端部が挿入され、この欄干パネルの下端部が前記押しボルトの締め付けにより前記第２のパネル当て板と第１のパネル当て板とで挟着されて支持され、前記第２のパネル当て板はその長手方向の移動が規制手段により規制され、前記規制手段は、前記第２のパネル当て板にスカート受けアングル支持用の一対の保持片を設け、これら支持片間にパネル受けの第２の垂直壁を介在させた構成となっていることを特徴とするマンコンベアの欄干パネル支持装置。
【請求項２】
パネル受けにより欄干パネルを支持して固定するマンコンベアの欄干パネル支持装置において、
パネル受けはその幅が小さく、かつ互いに対向する第１の垂直壁と第２の垂直壁とを備え、第１の垂直壁の内面に、パネル受けの幅より充分に大きな幅をもつ第１のパネル当て板が取り付けられ、第２の垂直壁に押しボルトが螺挿されているとともに、この第２の垂直壁の内側に、前記第１のパネル当て板と対向し、かつパネル受けの幅より充分に大きな幅をもつ第２のパネル当て板が介挿され、これら互いに対向する第１のパネル当て板と第２のパネル当て板との間に欄干パネルの下端部が挿入され、この欄干パネルの下端部が前記押しボルトの締め付けにより前記第２のパネル当て板と第１のパネル当て板とで挟着されて支持され、前記第２のパネル当て板はその長手方向の移動が規制手段により規制され、前記規制手段は、前記第２のパネル当て板の下端縁に切欠部を形成し、この切欠部をパネル受けの基部に嵌合させた構成となっていることを特徴とするマンコンベアの欄干パネル支持装置。
【発明の詳細な説明】
【０００１】
【発明の属する技術分野】
この発明は、エスカレータや動く歩道等の乗客搬送用のマンコンベアにおける欄干パネルを支持する欄干パネル支持装置に関する。
【０００２】
【従来の技術】
乗客搬送用のマンコンベアとしての例えばエスカレータは、建屋にトラスが据え付けられ、このトラスに乗客搬送用のステップ列が組み込まれ、このステップ列の両側上部に欄干が設けられている。
【０００３】
図６にはエスカレータの欄干１を示してあり、この欄干１は例えばガラス製の複数枚の欄干パネル２を継ぎ合わせて構成されている。各欄干パネル２はトラス３に設けられたパネル受け４を介して支持されており、その支持部分の構造を図７および図８に示してある。
【０００４】
図７および図８に示すように、トラス３の主梁３ａの上にベース６を介してパネル受け４が取り付けられている。このパネル受け４は第１の垂直壁７と、この第１の垂直壁７に対向する一対の第２の垂直壁８とを一体に有し、前記第１の垂直壁７と第２の垂直壁８との間にパネル当て板９が介挿され、また第２の垂直壁８にはその外側から内側に向って複数本の押しボルト１０が螺挿されている。
【０００５】
そして、第１の垂直壁７とパネル当て板９との間に欄干パネル２の下端部が挿入され、この欄干パネル２の下端部が前記押しボルト１０の締め付けによりパネル当て板９と第１の垂直壁７とで強く挟着され、この挟着により欄干パネル２がほぼ垂直に起立するように支持されている。なお、１２は欄干パネル２の下端部に装着された緩衝用のゴムパッキングである。
【０００６】
さらにこのパネル受け４は、欄干パネル２の外側において外デッキ１４および外装デッキ１５を支持し、欄干パネル２の内側においてスカート受けアングル１６を支持している。そしてスカート受けアングル１６にスカートガードパネル１７が取り付けらているとともに、このスカート受けアングル１６と欄干パネル２の下部との間に内デッキ１８が取り付けられている。
【０００７】
なお、図８は前記スカートガードパネル１７および内デッキ１８を取り除いたときの図７の矢印Ｅ方向から見た正面図である。
【０００８】
【発明が解決しようとする課題】
このような従来の欄干パネル支持装置におけるパネル受け４は、欄干パネル２の支持強度を高めるために、その第１の垂直壁７の面積を大きくし、欄干パネル２を広い面積で挟着するようにしており、またこのパネル受け４は欄干パネル２と併せてさらに外デッキ１４、外装デッキ１５、スカート受けアングル１６を支持しており、このため全体が複雑で大きな形状となっている。
【０００９】
一般にパネル受け４は金属の鋳造品であるが、その形状が複雑で大型になると、製造コストが高くなり、また重量が増すことによりエスカレータの施工現場での取り扱いが面倒で、パネル受け４をトラス３の主梁３ａに取り付けるときの施工能率が低下してしまう。
【００１０】
欄干パネル２をパネル受け４で支持して固定するときの作業手順について説明すると、まずパネル受け４をトラス３の主梁３ａに所定の間隔をあけて順次取り付ける。そしてこの後、パネル受け４の第１の垂直壁７と第２の垂直壁８との間にパネル当て板９を介挿するとともに、このパネル当て板９と第１の垂直壁７との間に欄干パネル２の下端部を挿入し、この状態で押しボルト１０を締め付けてパネル当て板９を押圧し、このパネル当て板９と第１の垂直壁７とで欄干パネル１２を挟着して固定する。
【００１１】
ところが、第１の垂直壁７と第２の垂直壁８との間にパネル当て板９を介挿したときに、このパネル当て板９がその長手方向にずれ動いてしまうという問題がある。特に、欄干１の傾斜部分の区間では図８に示すようにパネル受け４の全体がその傾斜方向に傾いて取り付けられるから、第１の垂直壁７と第２の垂直壁８との間にパネル当て板９を介挿したときにその傾斜でパネル当て板９が容易に滑り動いてパネル受け４から脱落し、作業性が大幅に低下してしまう。
【００１２】
この発明はこのような点に着目してなされたもので、その目的とするところは、パネル受けを簡素で小型な形状に構成することができるマンコンベアの欄干パネル支持装置を提供し、またパネル受けを簡素で小型な形状に構成することができるとともに、パネル当て板のずれ動きを防止して欄干パネルを能率よく取り付けて支持することができるマンコンベアの欄干パネル支持装置を提供することにある。
【００１３】
【課題を解決するための手段】
このような目的を達成するために、請求項１に記載の発明は、パネル受けにより欄干パネルを支持して固定するマンコンベアの欄干パネル支持装置において、パネル受けはその幅が小さく、かつ互いに対向する第１の垂直壁と第２の垂直壁とを備え、第１の垂直壁の内面に、パネル受けの幅より充分に大きな幅をもつ第１のパネル当て板が取り付けられ、第２の垂直壁に押しボルトが螺挿されているとともに、この第２の垂直壁の内側に、前記第１のパネル当て板と対向し、かつパネル受けの幅より充分に大きな幅をもつ第２のパネル当て板が介挿され、これら互いに対向する第１のパネル当て板と第２のパネル当て板との間に欄干パネルの下端部が挿入され、この欄干パネルの下端部が前記押しボルトの締め付けにより前記第２のパネル当て板と第１のパネル当て板とで挟着されて支持され、前記第２のパネル当て板はその長手方向の移動が規制手段により規制され、前記規制手段は、前記第２のパネル当て板にスカート受けアングル支持用の一対の保持片を設け、これら支持片間にパネル受けの第２の垂直壁を介在させた構成となっていることを特徴としている。
【００１４】
請求項２に記載の発明は、パネル受けにより欄干パネルを支持して固定するマンコンベアの欄干パネル支持装置において、パネル受けはその幅が小さく、かつ互いに対向する第１の垂直壁と第２の垂直壁とを備え、第１の垂直壁の内面に、パネル受けの幅より充分に大きな幅をもつ第１のパネル当て板が取り付けられ、第２の垂直壁に押しボルトが螺挿されているとともに、この第２の垂直壁の内側に、前記第１のパネル当て板と対向し、かつパネル受けの幅より充分に大きな幅をもつ第２のパネル当て板が介挿され、これら互いに対向する第１のパネル当て板と第２のパネル当て板との間に欄干パネルの下端部が挿入され、この欄干パネルの下端部が前記押しボルトの締め付けにより前記第２のパネル当て板と第１のパネル当て板とで挟着されて支持され、前記第２のパネル当て板はその長手方向の移動が規制手段により規制され、前記規制手段は、前記第２のパネル当て板の下端縁に切欠部を形成し、この切欠部をパネル受けの基部に嵌合させた構成となっていることを特徴としている。
【００１８】
【発明の実施の形態】
以下、この発明の実施の形態について図１ないし図７を参照して説明する。
【００１９】
図１ないし図３には第１の実施形態を示してあり、図１に示すように欄干２１は例えば透明なガラスからなる複数枚の欄干パネル２２を順次継ぎ合わせてなる。そして各欄干パネル２２はトラス２３の上にパネル受け２４を介して取り付けられている。
【００２０】
図２および図３には欄干パネル２２の支持部分の構造を示してあり、トラス２３の主梁２３ａの上にベース２５が取り付けられ、このベース２５の上に寸法調整板２６を介してパネル受け２４がボルト・ナット２７を介して取り付けられている。
【００２１】
パネル受け２４は基部２８の上に第１の垂直壁２９を一体に形成した断面逆Ｔ字状をなす本体３０と、この本体３０における基部２８の上に前記第１の垂直壁２９と対向して溶接により固定された一対の第２の垂直壁３１とで構成されている。
【００２２】
そして第１の垂直壁２９の内面には幅調整板３２を介して第１のパネル当て板３４が皿小ねじ３５により取り付けられている。第２の垂直壁３１にはその外側から内側に向って押しボルト３３が螺挿され、これら第２の垂直壁３１の内側に第２のパネル当て板３６が介挿されている。
【００２３】
図３に示すように、パネル受け２４はその幅の寸法Ｌ１が小さく、第１および第２のパネル当て板２９，３１はその長手方向の幅の寸法Ｌ２がパネル受け２４の幅の寸法Ｌ１より充分大きな寸法となっている。
【００２４】
第１のパネル当て板３４と第２のパネル当て板３６との間にはその上方から欄干パネル２２の下端部が挿入され、この欄干パネル２２の下端部が第２の垂直壁３６に螺挿された押しボルト３３の締め付けにより第１のパネル当て板３４と第２のパネル当て板３６とで強く挟着され、この挟着により欄干パネル２２がほぼ垂直に起立するように支持されている。なお、欄干パネル２２の下端部には予め断面Ｕ字状をなす緩衝用のゴムパッキング３７が装着されている。
【００２５】
第１のパネル当て板３４の上部には一対の支持片４０がそれぞれ溶接により固定されている。これら支持片４０は互いに比較的大きく離間し、これら支持片４０の上にボルト・ナット４１を介して外装デッキを兼ねる外デッキ４２が取り付けられている。
【００２６】
また第２のパネル当て板３６の下部には一対の保持片４３がそれぞれ溶接により固定されている。これら保持片４３は互いに比較的大きく離間し、その一方の保持片４３はパネル受け２４の基部２８の上に並列して配置された第２の垂直壁３１における一方の垂直壁３１の外側縁の外側を通ってパネル受け２４の一端側の外方に延出し、また他方の保持片４３は他方の垂直壁３１の外側縁の外側を通ってパネル受け２４の一端側の外方に延出し、これら保持片４３の延出側端部の下側にスカート受けアングル４４がボルト・ナット４５を介して取り付けられている。
【００２７】
そしてスカート受けアングル４４にスカートガードパネル４７が取り付けられているとともに、スカート受けアングル４４と欄干パネル２２の下部との間に内デッキ４８が取り付けられている。内デッキ４８の一側縁部は欄干パネル２２の下部に目地部材４９を介して固定されている。
【００２８】
なお、図３は前記スカートガードパネル４７および内デッキ４８を取り除いたときの図２の矢印Ｂ方向から見た正面図である。
【００２９】
欄干パネル２２をパネル受け２４で支持して固定するときの作業手順について説明すると、トラス２３の主梁２３ａに設けられたベース２５の上に寸法調整板２６を介してパネル受け２４を配置し、このパネル受け２４をボルト・ナット２７によりベース２５に固定する。
【００３０】
次に、このパネル受け２４の第１の垂直壁２９の内面に幅調整板３２を介して第１のパネル当て板３４を押し当て、この第１のパネル当て板３４を皿小ねじ３５を介して第１の垂直壁２９に固定する。なお、この第１のパネル当て板２９には予め溶接により一対の支持片４０が取り付けられている。
【００３１】
この後、前記第１のパネル当て板３４と第２の垂直壁３１との間に第２のパネル当て板３６を挿入する。この第２のパネル当て板３６の下部には、予め一対の保持片４３が互いに離間して並列するように溶接により固定されている。第１のパネル当て板３４と第２の垂直壁３１との間に第２のパネル当て板３６を挿入するときには、前記一対の保持片４３の間にパネル受け２４の第２の垂直壁３１が介在するように挿入する。
【００３２】
次に、第２の垂直壁３１に螺挿されている押しボルト３３を工具で回し、これら押しボルト３３により第２のパネル当て板３６を押圧し、さらに押しボルト３３を強く締め付けて第２のパネル当て板３６と第１のパネル当て板３４とで欄干パネル２２の下端部を強く挟着して固定する。
【００３３】
このように欄干パネル２２を固定した後には、第１のパネル当て板３４の支持片４０に外デッキ４２をボルト・ナット４１を介して取り付け、また第１のパネル当て板３４の保持片４３にスカート受けアングル４４をボルト・ナット４５を介して取り付け、さらにこのスカート受けアングル４４にスカートガードパネル４７を取り付けるとともに、スカート受けアングル４４と前記欄干パネル２２の下部との間に内デッキ４８を取り付ける。
【００３４】
第１のパネル当て板３４と第２の垂直壁３１との間に第２のパネル当て板３６を挿入した際には、この第２のパネル当て板３６に設けられた一対の保持片４３間にパネル受け２４の第２の垂直壁３１が介在しており、このため欄干１の長手方向に対する第２のパネル当て板３６の移動がその保持片４３と第２の垂直壁３１との当接により規制され、したがって欄干１の傾斜部分の区間であっても第２のパネル当て板３６が滑り動いてパネル受け２４から脱落するようなことがなく、このため欄干パネル２２を第２のパネル当て板３６と第１のパネル当て板３４とで挟み込んで固定する作業を容易に能率よく行なうことができる。
【００３５】
パネル受け２４はその横の寸法Ｌ１が小さい小型の形状をなしているが、欄干パネル２２を挟着する第１および第２のパネル当て板３４，３６の幅の寸法Ｌ２はそのパネル受け２４の幅の寸法Ｌ１よりも充分大きく、したがってこれらパネル当て板３４，３６により欄干パネル２２を広い面積で挟着し、強固にかつ安定して支持することができる。
【００３６】
そして外デッキ４２が第１のパネル当て板３４を介して支持され、スカート受けアングル４４が第２のパネル当て板３６を介して支持されているから、パネル受け２４は小型で軽量な簡素な形状となり、このためこのパネル受け２４を主梁２３ａに取り付けるときの取り扱いが容易で、その取り付けの作業を能率よく行なえ、またこのパネル受け２４の製造コストを軽減することができる。
【００３７】
図４および図５には第２の実施形態を示してあり、この実施形態においては、第２のパネル当て板３６の下端縁の長手方向中間部に切欠部３６ａが形成され、この切欠部３６がパネル受け２４における基部２８に嵌合されている。
【００３８】
そしてパネル受け２４の第２の垂直壁３１の下部にそれぞれ保持片５１が溶接により固定され、これら保持片５１にボルト・ナット５２を介してスカート受けアングル４４が取り付けられている。
【００３９】
このような構成においても、第２のパネル当て板３６の長手方向の移動がその下端縁の切欠部３６ａとパネル受け２４の基部２８との嵌合で規制され、したがって第２の当て板３６の滑り動きや脱落を防止して欄干パネル２２を固定する作業を容易に能率よく行なうことができる。
【００４０】
なお、この発明はエスカレータの欄干に適用する場合のほか、動く歩道等のマンコンベアの欄干においても同様に適用することができるものである。
【００４１】
【発明の効果】
以上述べたようにこの発明によれば、パネル受けを小型で軽量な簡素な形状に構成することができ、したがってこのパネル受けを主梁に取り付けるときの取り扱いが容易で、その取り付けの作業を能率よく行なえ、またこのパネル受けの製造コストを軽減することができる。そして欄干パネルは寸法の大きな第１および第２のパネル当て板で挟着して強固に安定して支持することができる。
【００４２】
また、第１のパネル当て板とパネル受けの第２の垂直壁との間に第２のパネル当て板を介挿したときにはその第２のパネル当て板の長手方向の移動が規制手段により規制され、したがってその第２のパネル当て板の滑り動きや脱落を防止して欄干パネルの挟着時の作業を容易に能率よく行なうことができる。
【図面の簡単な説明】
【図１】この発明の第１の実施形態を示すエスカレータの欄干の構成図。
【図２】図１中のＡ―Ａ線に沿う断面図。
【図３】図２中の矢印Ｂ方向から見た側面図。
【図４】この発明の第２の実施形態を示す要部の断面図。
【図５】図４中の矢印Ｃ方向から見た側面図。
【図６】従来のエスカレータの欄干を示す構成図。
【図７】図６中のＤ―Ｄ線に沿う断面図。
【図８】図２中の矢印Ｅ方向から見た側面図。
【符号の説明】
２１…欄干
２２…欄干パネル
２３…トラス
２４…パネル受け
２９…第１の垂直壁
３１…第２の垂直壁
３３…押しボルト
３４…第１のパネル当て板
３６…第２のパネル当て板
４０…支持片
４２…外デッキ
４３…保持片
４４…スカート受けアングル
４７…スカートガードパネル
４８…内デッキ
【図１】
0004434403.tif 000002
【図２】
0004434403.tif 000003
【図３】
0004434403.tif 000004
【図４】
0004434403.tif 000005
【図５】
0004434403.tif 000006
【図６】
0004434403.tif 000007
【図７】
0004434403.tif 000008
【図８】
0004434403.tif 000009